(57)【要約】【課題】  急速的にスティックアイスを製造できるスティックアイス製造機を提供する。【解決手段】  上面に開口を有する収容部が形成され、相隣の側に収容部と連通する貫通孔が形成される断熱本体１０と、  断熱本体１０の収容部に収容され、その内部に所定の間隔で複数の挿入口が形成され、各挿入口に注入口を有する型が設けられる位置決めケースと、  前記貫通孔に通じて位置決めケースと密接する熱伝導部材と、急冷チップと、熱放散器３３と、ファン３４とを有する急冷装置とを備えることを特徴とする。【選択図】  図１
0003109545.tif 000002
【実用新案登録請求の範囲】
【請求項１】
上面に開口を有する収容部が形成され、相隣の側に前記収容部と連通する貫通孔が形成される断熱本体と、
前記断熱本体の前記収容部に収容され、その内部に所定の間隔で複数の挿入口が形成され、前記各挿入口に注入口を有する型が設けられる位置決めケースと、
前記貫通孔に通じて前記位置決めケースと密接する熱伝導部材と、急冷チップと、熱放散器と、ファンとを有する急冷装置とを備えることを特徴とする急冷装置を有するスティックアイス製造機。
【請求項２】
断熱本体の上側面に突出部が設けられ、該断熱本体の上側に突出部と相互に結合できる嵌合部を有する断熱上蓋が設けられ、該断熱上蓋の下側に溝が形成されることを特徴とする請求項１に記載の急冷装置を有するスティックアイス製造機。
【請求項３】
貫通孔を有する断熱本体の反対側の面に他の貫通孔が形成されると共に、該貫通孔に位置決めケースと密接する他の急冷装置が設けられることを特徴とする請求項１又は２に記載の急冷装置を有するスティックアイス製造機。
【考案の詳細な説明】
【技術分野】
【０００１】
本考案は、特に急速的にスティックアイスを製造できるスティックアイス製造機に関するものである。
【背景技術】
【０００２】
一般のスティックアイスは、ジュース、ミルク又は炭酸水などの飲料を型に注入して、スティックを挿入し、その後、該型を冷蔵庫の冷凍室に所定時間入れることにより、製造する。
【考案の開示】
【考案が解決しようとする課題】
【０００３】
しかしながら、上記従来のスティックアイスの製造では、凍るまでに時間がかかるので、非常に不便であった。更に、通常は、冷蔵庫の冷凍室に、例えば肉など他の食材が保存されているため、製造したスティックアイスにそれらの食材の臭いが付いてしまうという問題があった。又、屋外でスティックアイスを食べたい時には、冷蔵庫を携帯することができないので、そのような要望に応えることができなかった。
【０００４】
そこで、案出されたのが本考案であって、急速的にスティックアイスを製造できるスティックアイス製造機を提供することを目的としている。
【課題を解決するための手段】
【０００５】
本願の請求項１の考案は、上面に開口を有する収容部（１１０）が形成され、相隣の側に収容部（１１０）と連通する貫通孔（１３）が形成される断熱本体（１０）と、
断熱本体（１０）の収容部（１１０）に収容され、その内部に所定の間隔で複数の挿入口（２１）が形成され、各挿入口（２１）に注入口（２２１）を有する型（２２）が設けられる位置決めケース（２０）と、
貫通孔（１３）に通じて位置決めケース（２０）と密接する熱伝導部材（３１）と、急冷チップ（３２）と、熱放散器（３３）と、ファン（３４）とを有する急冷装置（３０）とを備えることを特徴とする急冷装置を有するスティックアイス製造機及び、
本願の請求項２の考案は、断熱本体（１０）の上側面に突出部（１２）が設けられ、又、断熱本体（１０）の上側に突出部（１２）と相互に結合できる嵌合部（１４１）を有する断熱上蓋（１４）が設けられ、断熱上蓋（１４）の下側に溝（１４２）が形成されることを特徴とする請求項１に記載の急冷装置を有するスティックアイス製造機及び、
本願の請求項３の考案は、貫通孔（１３）を有する断熱本体（１０）の反対側の面に他の貫通孔（１５）が形成されると共に、貫通孔（１５）に位置決めケース（２０）と密接する他の急冷装置（３０）が設けられることを特徴とする請求項１又は２に記載の急冷装置を有するスティックアイス製造機、を提供する。
【考案の効果】
【０００６】
本考案は上記の課題を解決するものであり、内部に型を有する位置決めケースが設けられる断熱本体の一側に、該位置決めケースと密接する急冷装置が設けられることにより、食材の臭いが付いてないスティックアイスを急速的に製造することができ、非常に便利である。
【考案を実施するための最良の形態】
【０００７】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【０００８】
図１は本考案に係る急冷装置を有するスティックアイス製造機の第１実施例を示す斜視図であり、図２は本考案に係る急冷装置を有するスティックアイス製造機の第１実施例を示す分解斜視図であり、図３は本考案に係る急冷装置を有するスティックアイス製造機の第１実施例を示す断面図であり、図４は本考案に係る急冷装置を有するスティックアイス製造機の第２実施例を示す斜視図であり、図５は本考案に係る急冷装置を有するスティックアイス製造機の第２実施例を示す断面図である。
【実施例１】
【０００９】
図１及び図２に示すように、本考案に係る急冷装置を有するスティックアイス製造機は、中空体である断熱本体（１０）と、位置決めケース（２０）と、急冷装置（３０）とを備え、断熱本体（１０）の上面に開口（１１）を有する収容部（１１０）が形成されると共に、同側面に突出部（１２）が設けられ、相隣の側に収容部（１１０）と連通する貫通孔（１３）が形成される。
【００１０】
又、図２及び図３に示すように、断熱本体（１０）の上側に突出部（１２）と相互に結合できる嵌合部（１４１）を有する断熱上蓋（１４）が設けられ、断熱上蓋（１４）の下側に溝（１４２）が形成される。
【００１１】
位置決めケース（２０）は断熱本体（１０）の収容部（１１０）に収容される例えばアルミナなどの金属からなり、その内部に所定の間隔で複数の挿入口（２１）が形成され、本実施例においては、挿入口（２１）の数量は４個であり、各挿入口（２１）に注入口（２２１）を有する型（２２）が設けられ、又、型（２２）は例えばステンレスなど優れた熱伝導効果を有する金属からなる。
【００１２】
急冷装置（３０）は熱伝導部材（３１）と、急冷チップ（３２）と、熱放散器（３３）と、ファン（３４）とを有し、熱伝導部材（３１）が貫通孔（１３）に通じて位置決めケース（２０）と密接する。
【００１３】
又、図２及び図３に示すように、本考案に係る急冷装置を有するスティックアイス製造機を使用する場合、スティックアイス（４０）の原料（飲料など）を注入口（２２１）に通じて型（２２）に注入すると共に、スティック（４１）を型（２２）に挿入し、上蓋（１４）を断熱本体（１０）の上にカバーした後、急冷装置（３０）を起動することにより、スティックアイス（４０）を製造し、又、急冷装置（３０）により発生した熱を熱放散器（３３）とファン（３４）によって熱放散する。
【００１４】
スティックアイス（４０）を製造した後、上蓋（１４）を取り外し、スティックアイス（４０）を型（２２）から取り出すことができる。本考案により製造したスティックアイス（４０）は冷蔵庫の臭いが付いていないだけでなく、本考案のスティックアイス製造機は携帯の利便性が高いので、非常に便利である。
【実施例２】
【００１５】
又、図４及び図５に示すように、本考案の第２実施例は、上記第１実施例とほとんど等しく、異なるのは、貫通孔（１３）を有する断熱本体（１０）の反対側の面に貫通孔（１３）と等しい貫通孔（１５）が形成されると共に、貫通孔（１５）に位置決めケース（２０）と密接する他の急冷装置（３０）が設けられることにより、スティックアイス（４０）の製造時間を縮めることができる。
【産業上の利用可能性】
【００１６】
本考案は上記の構成を有するので、内部に型を有する位置決めケースが設けられる断熱本体の一側に、該位置決めケースと密接する急冷装置が設けられることにより、食材の臭いが付いてないスティックアイスを急速的に製造することができ、非常に便利である。
【図面の簡単な説明】
【００１７】
【図１】本考案に係る急冷装置を有するスティックアイス製造機の第１実施例を示す斜視図である。
【図２】本考案に係る急冷装置を有するスティックアイス製造機の第１実施例を示す分解斜視図である。
【図３】本考案に係る急冷装置を有するスティックアイス製造機の第１実施例を示す断面図である。
【図４】本考案に係る急冷装置を有するスティックアイス製造機の第２実施例を示す斜視図である。
【図５】本考案に係る急冷装置を有するスティックアイス製造機の第２実施例を示す断面図である。
【符号の説明】
【００１８】
１０        断熱本体
１１        開口
１１０      収容部
１２        突出部
１３        貫通孔
１４        断熱上蓋
１４１      嵌合部
１４２      溝
１５        貫通孔
２０        位置決めケース
２１        挿入口
２２        型
２２１      注入口
３０        急冷装置
３１        熱伝導部材
３２        急冷チップ
３３        熱放散器
３４        ファン
４１        スティック
【図１】
0003109545.tif 000003
【図２】
0003109545.tif 000004
【図３】
0003109545.tif 000005
【図４】
0003109545.tif 000006
【図５】
0003109545.tif 000007